(57)【要約】【課題】画角、変倍比、Ｆ値を確保しながらも、結像性能を良好としやすいズームレンズ等を提供すること。【解決手段】  物体側から像側に順に、  正屈折力の第１レンズ群Ｇ１、  負屈折力の第２レンズ群Ｇ２、  正屈折力の第３レンズ群Ｇ３、  正屈折力の第４レンズ群Ｇ４を有し、  広角端から望遠端への変倍に際して各レンズ群の間の間隔が変化し、  前記第３レンズ群は、像側に凹の像側面をもつ第１の接合レンズ成分と、前記第１の接合レンズ成分の像側直後に配置され物体側に凹の物体側面をもつ第２の接合レンズ成分  を有し、  前記第１の接合レンズ成分は正レンズとその正レンズの像側に配置され像側に凹の像側面を持つ負レンズを有し、  前記第２の接合レンズ成分は物体側に凹の物体側面を持つ負レンズとその負レンズの像側に配置された正レンズを有することを特徴とする。【選択図】図１
2010217478.tif 000002
【特許請求の範囲】
【請求項１】
物体側から像側に順に、
正屈折力の第１レンズ群、
負屈折力の第２レンズ群、
正屈折力の第３レンズ群、
正屈折力の第４レンズ群  を有し、
広角端から望遠端への変倍に際して各レンズ群の間の間隔が変化し、
前記第３レンズ群は、像側に凹の像側面をもつ第１の接合レンズ成分と、前記第１の接合レンズ成分の像側直後に配置され物体側に凹の物体側面をもつ第２の接合レンズ成分  を有し、
前記第１の接合レンズ成分は正レンズとその正レンズの像側に配置され像側に凹の像側面を持つ負レンズを有し、
前記第２の接合レンズ成分は物体側に凹の物体側面を持つ負レンズとその負レンズの像側に配置された正レンズを有することを特徴とするズームレンズ。
【請求項２】
前記第１の接合レンズ成分は物体側面が凸のメニスカス形状であり、
前記第２の接合レンズ成分は像側に凸のメニスカス形状であることを特徴とする請求項１に記載のズームレンズ。
【請求項３】
前記第１の接合レンズ成分と前記第２の接合レンズ成分が以下の条件式（１）を満足することを特徴とする請求項１または請求項２に記載のズームレンズ。
−０．９＜ＳＦ3n＜−０．１      （１）
ただし、
ＳＦ3n＝（３２Ｒ１ｒ＋３３Ｒ２ｆ）／（３２Ｒ１ｒ−３３Ｒ２ｆ）で定義され、
３２Ｒ１ｒは前記第３レンズ群中の前記第１の接合レンズ成分の前記像側面の曲率半径、
３３Ｒ２ｆは前記第３レンズ群中の前記第２の接合レンズ成分の前記物体側面の曲率半径である。
【請求項４】
物体側から像側に順に、
正屈折力の第１レンズ群、
負屈折力の第２レンズ群、
正屈折力の第３レンズ群、
正屈折力の第４レンズ群  を有し、
広角端から望遠端への変倍に際して各レンズ群の間の間隔が変化し、
前記第３レンズ群は、第１の接合レンズ成分と前記第１の接合レンズ成分の像側に配置された第２の接合レンズ成分を有し、
前記第１の接合レンズ成分は正レンズとその正レンズの像側に配置された負レンズを有し、
前記第２の接合レンズ成分は負レンズとその負レンズの像側に配置された正レンズを有し、
前記第１の接合レンズ成分と前記第２の接合レンズ成分が以下の条件式（２）を満足することを特徴とするズームレンズ。
５０＜νｄ3＜１２０      （２）
ただし、νｄ3＝（νｄＬ32p＋νｄＬ33p）−（νｄＬ32n＋νｄＬ33n）で定義され、
νｄＬ32pは前記第３レンズ群中の前記第１の接合レンズ成分の前記正レンズのｄ線に対するアッベ数、
νｄＬ33pは前記第３レンズ群中の前記第２の接合レンズ成分の前記正レンズのｄ線に対するアッベ数、
νｄＬ32nは前記第３レンズ群中の前記第１の接合レンズ成分の前記負レンズのｄ線に対するアッベ数、
νｄＬ33nは前記第３レンズ群中の前記第２の接合レンズ成分の前記負レンズのｄ線に対するアッベ数である。
【請求項５】
前記第１の接合レンズ成分と前記第２の接合レンズ成分が以下の条件式（２）を満足することを特徴とする請求項１乃至３のいずれか一項に記載のズームレンズ。
５０＜νｄ3＜１２０      （２）
ただし、νｄ3＝（νｄＬ32p＋νｄＬ33p）−（νｄＬ32n＋νｄＬ33n）で定義され、
νｄＬ32pは前記第３レンズ群中の前記第１の接合レンズ成分の前記正レンズのｄ線に対するアッベ数、
νｄＬ33pは前記第３レンズ群中の前記第２の接合レンズ成分の前記正レンズのｄ線に対するアッベ数、
νｄＬ32nは前記第３レンズ群中の前記第１の接合レンズ成分の前記負レンズのｄ線に対するアッベ数、
νｄＬ33nは前記第３レンズ群中の前記第２の接合レンズ成分の前記負レンズのｄ線に対するアッベ数である。
【請求項６】
前記第１の接合レンズ成分と前記第２の接合レンズ成分が空間を挟んで並んで配置され、
以下の条件式（３）を満足することを特徴とする請求項１乃至５のいずれか一項に記載のズームレンズ。
０．０８＜Ｄ３／ｆ３＜０．２０      （３）
ただし、
Ｄ３は、前記第３レンズ群中の前記第１の接合レンズ成分と前記第２の接合レンズ成分の光軸上の間隔、
ｆ３は、前記第３レンズ群の焦点距離
である。
【請求項７】
前記第２の接合レンズ成分は前記第３レンズ群中で最も像側に配置され、
前記第２の接合レンズ成分中の前記正レンズは像側に凸の非球面の像側面を有することを特徴とする  請求項１乃至６のいずれか一項に記載のズームレンズ。
【請求項８】
前記第３レンズ群は物体側から順に
正屈折力の正単レンズと、
前記第１の接合レンズ成分と、
前記第２の接合レンズ成分  を有し、
前記正単レンズが少なくとも１面の非球面を有することを特徴とする請求項１乃至７のいずれか一項に記載のズームレンズ。
【請求項９】
以下の条件式（４）、（５）を満足することを特徴とする請求項１乃至８のいずれか一項に記載のズームレンズ。
０．２６＜ＵＹ１Ｇ／ｆｗ＜０．２８      （４）
０．２５＜ＵＹ３Ｇ／ｆ３＜０．５      （５）
ただし、
ｆｗは広角端でのズームレンズ全系の焦点距離、
ＵＹ１Ｇは、広角端での前記第１レンズ群の物体側面における軸上マージナル光線の光軸からの高さ、
ＵＹ３Ｇは、広角端での前記第３レンズ群の物体側面における軸上マージナル光線の光軸からの高さ、
ｆ３は前記第３レンズ群の焦点距離
である。
【請求項１０】
以下の条件式（４）、（６）を満足することを特徴とする請求項１乃至９のいずれか一項に記載のズームレンズ。
０．２６＜ＵＹ１Ｇ／ｆｗ＜０．２８      （４）
０．６０＜ＵＹ３Ｇ／ｆｗ＜１．００      （６）
ただし、
ｆｗは広角端でのズームレンズ全系の焦点距離、
ＵＹ１Ｇは、広角端での前記第１レンズ群の物体側面における軸上マージナル光線の光軸からの高さ、
ＵＹ３Ｇは、広角端での前記第３レンズ群の物体側面における軸上マージナル光線の光軸から高さ
である。
【請求項１１】
以下の条件式（７）を満足することを特徴とする請求項１乃至１０のいずれか一項に記載のズームレンズ。
７．０＜ｆ１／ｆｗ＜１０      （７）
ただし、
ｆ１は前記第１レンズ群の焦点距離、
ｆｗは広角端でのズームレンズ全系の焦点距離
である。
【請求項１２】
以下の条件式（８）、（９）を満足することを特徴とする請求項１乃至１１のいずれか一項に記載のズームレンズ。
１．６＜｜ｆ２／ｆｗ｜＜２．１      （８）
３．５＜（β２ｔ／β２ｗ）×（β３ｔ／β３ｗ）×（β４ｔ／β４ｗ）＜５．０      （９）
ただし、
ｆ２は前記第２レンズ群の焦点距離、
ｆｗは広角端でのズームレンズ全系の焦点距離、
β２ｗ、β２ｔはそれぞれ前記第２レンズ群の広角端、望遠端での横倍率、
β３ｗ、β３ｔはそれぞれ前記第３レンズ群の広角端、望遠端での横倍率、
β４ｗ、β４ｔはそれぞれ前記第４レンズ群の広角端、望遠端での横倍率
である。
【請求項１３】
以下の条件式（１０）を満足することを特徴とする請求項１乃至１２のいずれか一項に記載のズームレンズ。
２．０＜ｆ３／ｆｗ＜３．０      （１０）
ただし、
ｆ３は前記第３レンズ群の焦点距離、
ｆｗは広角端でのズームレンズ全系の焦点距離
である。
【請求項１４】
以下の条件式（１１）を満足することを特徴とする請求項１乃至１３のいずれか一項に記載のズームレンズ。
３．４＜ｆ４／ｆｗ＜５．５      （１１）
ただし、
ｆ４は前記第４レンズ群の焦点距離、
ｆｗは広角端でのズームレンズ全系の焦点距離
である。
【請求項１５】
以下の条件式（１２）を満足することを特徴とする請求項１乃至１４のいずれか一項に記載のズームレンズ。
９．０＜Ｌｗ／ｆｗ＜１０．２      （１２）
ただし、
Ｌｗはバックフォーカスを空気換算距離としたときの広角端での第１レンズ群の物体側面から像面までの光軸に沿った距離、
ｆｗは広角端でのズームレンズ全系の焦点距離
である。
【請求項１６】
前記第２レンズ群は、物体側から順に、負メニスカスレンズ成分、負レンズ成分、正レンズ成分からなり、
以下の条件式（１３）、（９）を満足することを特徴とする請求項１乃至１５のいずれか一項に記載のズームレンズ。
０．５＜（β２ｔ／β２ｗ）／（β３ｔ／β３ｗ）＜１．０      （１３）
３．５＜（β２ｔ／β２ｗ）×（β３ｔ／β３ｗ）×（β４ｔ／β４ｗ）＜５．０    （９）
ただし、
β２ｗ、β２ｔはそれぞれ第２レンズ群の広角端、望遠端での横倍率、
β３ｗ、β３ｔはそれぞれ第３レンズ群の広角端、望遠端での横倍率、
β４ｗ、β４ｔはそれぞれ第４レンズ群の広角端、望遠端での横倍率
である。
【請求項１７】
以下の条件式（１４）を満足することを特徴とする請求項１乃至１６のいずれか一項に記載のズームレンズ。
１．４＜β２ｔ／β２ｗ＜２．１      （１４）
ただし、
β２ｗ、β２ｔはそれぞれ前記第２レンズ群の広角端、望遠端での横倍率
である。
【請求項１８】
以下の条件式（１５）を満足することを特徴とする請求項１乃至１７のいずれか一項に記載のズームレンズ。
１．８＜β３ｔ／β３ｗ＜２．９      （１５）
ただし、
β３ｗ、β３ｔはそれぞれ前記第３レンズ群の広角端、望遠端での横倍率
である。
【請求項１９】
以下の条件式（１６）を満足することを特徴とする請求項１乃至１８のいずれか一項に記載のズームレンズ。
０．６＜β4ｔ／β4ｗ＜１．３      （１６）
ただし、
β４ｗ、β４ｔはそれぞれ前記第４レンズ群の広角端、望遠端での横倍率
である。
【請求項２０】
以下の条件式（１７）、（９）を満足することを特徴とする請求項１乃至１９のいずれか一項に記載のズームレンズ。
２．８＜Ｄ２ｗ／ｆｗ＜４．２      （１７）
３．５＜（β２ｔ／β２ｗ）×（β３ｔ／β３ｗ）×（β４ｔ／β４ｗ）＜５．０    （９）
ただし、
Ｄ２ｗは広角端における第２レンズ群と第３レンズ群の間の光軸上での空気間隔、
ｆｗは広角端でのズームレンズ全系の焦点距離、
β２ｗ、β２ｔはそれぞれ第２レンズ群の広角端、望遠端での横倍率、
β３ｗ、β３ｔはそれぞれ第３レンズ群の広角端、望遠端での横倍率、
β４ｗ、β４ｔはそれぞれ第４レンズ群の広角端、望遠端での横倍率
である。
【請求項２１】
以下の条件式（１８）を満足することを特徴とする請求項１乃至２０のいずれか一項に記載のズームレンズ。
１．３＜Δ３Ｇ／ｆｗ＜２．４      （１８）
ただし、
Δ３Ｇは広角端から望遠端における第３レンズ群の移動量であり、物体側への移動を正とし、
ｆｗは広角端でのズームレンズ全系の焦点距離
である。
【請求項２２】
前記第３レンズ群の物体側直前に配置された明るさ絞りを有し、前記明るさ絞りは前記広角端から前記望遠端への変倍時に前記第３レンズ群と一体で移動することを特徴とする請求項１乃至２１のいずれか一項に記載のズームレンズ。
【請求項２３】
前記第１レンズ群が１つのレンズ成分からなり、以下の条件式（１９）、（２０）を満足することを特徴とする請求項１乃至２２のいずれか一項に記載のズームレンズ。
０．７２５＜ＩＨ／ｆｗ＜０．８      （１９）
−１．０＜Ｄ２ｗ／Ｌ11r＜１．０      （２０）
ただし、
ＩＨは像面における軸外光線の最大光線高
ｆｗは広角端でのズームレンズ全系の焦点距離、
Ｄ２ｗは広角端における第２レンズ群と第３レンズ群の光軸上での空気間隔、
Ｌ11rは第１レンズ群の最も像側の面の曲率半径
である。
【請求項２４】
前記第２レンズ群は非球面レンズを有することを特徴とする請求項１乃至２３のいずれか一項に記載のズームレンズ。
【請求項２５】
前記第４レンズ群は非球面レンズを有することを特徴とする請求項１乃至２４のいずれか一項に記載のズームレンズ。
【請求項２６】
請求項１から２５のいずれか一項に記載のズームレンズと、
前記ズームレンズの像側に配置され、前記ズームレンズにより形成される像を電気信号に変換する撮像素子とを有することを特徴とする撮像装置。
【発明の詳細な説明】
【技術分野】
【０００１】
本発明は、ズームレンズに関するものである。加えて、ビデオカメラやデジタルカメラをはじめとする撮像装置に関するものである。
【背景技術】
【０００２】
近年では、フィルムを用いたカメラに代わり、ＣＣＤやＣＭＯＳセンサーといった撮像素子を用いて被写体を撮影するデジタルカメラが主流となっている。
更にデジタルカメラは業務用高機能タイプからコンパクトな普及タイプまで幅広い範囲でいくつものカテゴリーを有するようになってきている。
このうち、普及タイプのデジタルカメラのユーザーは、いつでもどこでも手軽に多様なシーンで撮影を楽しみたいという要望をもっている。そのため、小型で持ち運びが便利なタイプのデジタルカメラが好まれるようになっている。
【０００３】
薄型小型化を実施するには、撮像素子を小さくすればよい。ここで、小型化した撮像素子において、小型化する前の撮像素子と同じ画素数とするためには、画素ピッチを小さくする必要がある。このため、小型化した撮像素子では、感度不足を光学系でカバーしなければならない。したがって、Ｆ値の明るい光学系が必要となる。
一方、コンパクトタイプのデジタルカメラに用いるズームレンズの変倍比は３倍程度、広角端での画角が６３°程度が一般的である。
【０００４】
このような光学系として、物体側から順に、正の屈折力をもつ第１レンズ群、負の屈折力をもつ第２レンズ群、正の屈折力をもつ第３レンズ群、正の屈折力をもつ第４レンズ群の４つのレンズ群を有し、広角端から望遠端への変倍の際に各レンズ群の間の間隔を変化させる光学系が知られている。このような光学系の従来技術の例は、特許文献１、特許文献２、特許文献３に開示されている。
【０００５】
特許文献１に開示されたズームレンズは、Ｆ値が広角端で２．８程度であり、変倍比が３程度で、広角端での画角が６３°程度のものである。
特許文献２に開示されたズームレンズは、変倍比が４以上確保されているが、Ｆ値が広角端で２．８程度であり、広角端での画角が６３°程度のものである。
特許文献３に開示されたズームレンズでは、Ｆ値が広角端で２．０程度と比較的明るいズームレンズであるが、変倍比が３程度で、広角端での画角が６３°程度のものである。
【先行技術文献】
【特許文献】
【０００６】
【特許文献１】特開２００４−２５２２０４号公報
【特許文献２】特開２００３−３１５６７６号公報
【特許文献３】特開２００１−２４２３７９号公報
【発明の概要】
【発明が解決しようとする課題】
【０００７】
一方、十分な明るさを確保しても変倍比、画角、結像性能を確保したズームレンズが求められている。
【０００８】
本発明は、このような課題に鑑みてなされたものであり、画角、変倍比、Ｆ値を確保しながらも、結像性能を良好としやすいズームレンズの提供を目的とするものである。更には、そのようなズームレンズを備えた撮像装置を提供することを目的とするものである。
【課題を解決するための手段】
【０００９】
上記課題を解決するために、第１の側面のズームレンズは、
物体側から像側に順に、
正屈折力の第１レンズ群、負屈折力の第２レンズ群、正屈折力の第３レンズ群、正屈折力の第４レンズ群  を有し、
広角端から望遠端への変倍に際して各レンズ群の間の間隔が変化し、
第３レンズ群は、像側に凹の像側面をもつ第１の接合レンズ成分（Ｌ32）と、その第１の接合レンズ成分の像側直後に配置され物体側に凹の物体側面をもつ第２の接合レンズ成分（Ｌ33）を有し、
その第１の接合レンズ成分（Ｌ３２）は正レンズ（Ｌ32ｐ）とその正レンズ（Ｌ32p）の像側に配置され像側に凹の像側面を持つ負レンズ（Ｌ32n）を有し、
第２の接合レンズ成分（Ｌ33）は物体側に凹の物体側面を持つ負レンズ（Ｌ33n）とその負レンズ（Ｌ33n）の像側に配置された正レンズ（Ｌ33p）を有することを特徴とするものである。
【００１０】
なお、レンズ成分は空気に接する屈折面によって区分けられるレンズ体を意味し、接合レンズ成分は、レンズ成分のうち接合面の屈折面を持つレンズ体を意味する。
また、括弧に表示した記号は、実施の形態における対応するレンズ成分、レンズと対応させた記号であるが、実施の形態により本発明の技術範囲が制限されるものではない。
【００１１】
以下、このような構成をとった理由と作用を説明する。
本発明では、十分なズーム比を確保しやすくするために、物体側から順に、正屈折力の第１レンズ群、負屈折力の第２レンズ群、正屈折力の第３レンズ群、正屈折力の第４レンズ群を有し、各レンズ群の間隔を変化させることで広角端から望遠端への変倍（ズーミング）を行う構成を採用した。
【００１２】
このような構成を採用することにより、第２レンズ群と第３レンズ群の変倍機能を確保でき、変倍時の収差変動を小さく抑えつつまた各レンズ群の移動量が大きくなることを防ぎ光学系のコンパクト化につながる。
【００１３】
この構成では、第３レンズ群においては他のレンズ群に比べて軸上光束が太くなる。そのため、Ｆ値を明るくした光学系を達成するには、この第３レンズ群において良好な収差補正を行うことができる構成とすることが効果的である。
【００１４】
そこで、本発明では、第３レンズ群を、像側に凹の像側面をもつ第１の接合レンズ成分と、その第１の接合レンズ成分の像側直後に配置され物体側に凹の物体側面をもつ第２の接合レンズ成分を有する構成としている。そして、第１の接合レンズ成分は正レンズとその正レンズの像側に配置され像側に凹の像側面を持つ負レンズを有し、第２の接合レンズ成分は物体側に凹の物体側面を持つ負レンズとその負レンズの像側に配置された正レンズを有する構成としている。
【００１５】
このように構成することで、第３レンズ群における各レンズ面の曲率あるいは各レンズの屈折力を小さくすることができ、それにより収差の発生を抑えることができる。加えて、第１の接合レンズ成分の像側の面と第２の接合レンズ成分の物体側の面が凹面を向き合わせる構成とし、前述のレンズ配置としている。これにより、広角端から望遠端までの球面収差、色収差、ペッツバール和を良好に補正できる。また、明るさの確保や画角の確保、変倍比の確保に有利となる。
【００１６】
更に、本発明のズームレンズにおいて、
第１の接合レンズ成分は物体側面が凸のメニスカス形状であり、
第２の接合レンズ成分は像側に凸のメニスカス形状であることがより好ましい。
【００１７】
このように構成することで、２つの接合レンズ成分の対称性がいっそう良好となり、第３レンズ群の正屈折力の確保による全長の短縮や変倍比の確保に有利となる。
【００１８】
また、上述の本発明にて第１の接合レンズ成分と第２の接合レンズ成分が以下の条件式（１）を満足することがより好ましい。
−０．９＜ＳＦ3n＜−０．１      （１）
ただし、
ＳＦ3n＝（３２Ｒ1ｒ＋３３Ｒ2ｆ）／（３２Ｒ1ｒ−３３Ｒ2ｆ）で定義され、
３２Ｒ1ｒは前記第３レンズ群中の前記第１の接合レンズ成分の前記像側面の曲率半径、
３３Ｒ2ｆは前記第３レンズ群中の前記第２の接合レンズ成分の前記物体側面の曲率半径、
である。
【００１９】
条件式（１）は、第１の接合レンズと第２の接合レンズにより形成される両凸形状の空気レンズの好ましい形状ファクターを特定するものである。
条件式（１）の下限を下回らないようにして、第２の接合レンズ成分の物体側面の負屈折力を確保する。これにより、第１の接合レンズ成分の物体側面と共に負の屈折力を良好に分担できる。この結果、明るさを確保した際の球面収差などの高次収差の低減に有利となる。
条件式（１）の上限を上回らないようにして、第２の接合レンズ成分の物体側面の負屈折力を適度に抑える。これにより、第３レンズ群に十分な正屈折力を持たせやすくなり、小型化、高変倍比化、短焦点距離化に有利となる。
【００２０】
また、上記課題を解決するための第２の側面のズームレンズは、
物体側から像側に順に、正屈折力の第１レンズ群、負屈折力の第２レンズ群、正屈折力の第３レンズ群、正屈折力の第４レンズ群を有し、
広角端から望遠端への変倍に際して各レンズ群の間の間隔が変化し、
第３レンズ群は、第１の接合レンズ成分（Ｌ32）とその第１の接合レンズ成分の像側に配置された第２の接合レンズ成分（Ｌ33）を有し、
第１の接合レンズ成分（Ｌ32）は正レンズ（Ｌ32p）とその正レンズ（Ｌ32p）の像側に配置された負レンズ（Ｌ32n）を有し、
第２の接合レンズ成分（Ｌ33）は負レンズ（Ｌ33n）とその負レンズ（Ｌ33n）の像側に配置された正レンズ（Ｌ33p）を有し、
前記第１の接合レンズ成分（Ｌ32）と前記第２の接合レンズ成分（Ｌ33）が以下の条件式（２）を満足することを特徴とするものである。
【００２１】
５０＜νｄ3＜１２０      （２）
ただし、νｄ3＝（νｄＬ32p＋νｄＬ33p）−（νｄＬ32n＋νｄＬ33n）で定義され、
νｄＬ32pは前記第３レンズ群中の前記第１の接合レンズ成分の前記正レンズのｄ線に対するアッベ数、
νｄＬ33pは前記第３レンズ群中の前記第２の接合レンズ成分の前記正レンズのｄ線に対するアッベ数、
νｄＬ32nは前記第３レンズ群中の前記第１の接合レンズ成分の前記負レンズのｄ線に対するアッベ数、
νｄＬ33nは前記第３レンズ群中の前記第２の接合レンズ成分の前記負レンズのｄ線に対するアッベ数である。
【００２２】
前述の第１の側面のズームレンズと共通する箇所の作用は省略する。
条件式（２）は色収差補正、特に明るさを確保した際に目立ちやすくなる軸上の色収差の補正に好ましい硝材を特定するものである。
第３レンズ群における大きな正屈折力により発生する色収差をこのレンズ群内で良好に補正するためには、２つの接合レンズ成分中の正レンズに適正な範囲で比較的色分散性の小さな硝材を用い、且つ、２つの接合レンズ成分中の負レンズには適正な範囲で比較的色分散性の大きな硝材を用いることが効果的である。
具体的には、正レンズと負レンズのアッベ数の差を条件式（２）とすることが効果的である。
【００２３】
条件式（２）の下限を下回らないようにすることで、色収差の補正に有利となり、十分な光学性能の確保に有利となり、高性能のズームレンズの設計に有利となる。
前述の第１の側面のズームレンズにおいても、第１の接合レンズ成分と第２の接合レンズ成分が前述の条件式（２）を満足することがより好ましい。
【００２４】
上述の各ズームレンズのいずれか一項において、更に以下のいずれかの構成を同時に満足することがより好ましい。
【００２５】
第１の接合レンズ成分と第２の接合レンズ成分が空間を挟んで並んで配置され、
以下の条件式（３）を満足することが好ましい。
０．０８＜Ｄ3／ｆ3＜０．２０      （３）
ただし、
Ｄ3は、前記第３レンズ群中の前記第１の接合レンズ成分と前記第２の接合レンズ成分の光軸上の間隔、
ｆ3は、前記第３レンズ群の焦点距離、
である。
【００２６】
条件式（３）は第１の接合レンズ成分の像側面と第２の接合レンズ成分の物体側面の好ましい空気間隔を特定するものである。
条件式（３）の下限を下回らないようにすることで第１の接合レンズ成分と第２の接合レンズ成分との軸上距離を確保する。これにより、第３レンズ群での諸収差の低減に有利となり良好な結像性能を得やすくなる。
条件式（３）の上限を上回らないようにすることで、第３レンズ群の軸上の厚みを押さえやすくなり、小型化に有利となる。
【００２７】
また、第２の接合レンズ成分は第３レンズ群中で最も像側に配置され、その第２の接合レンズ成分中の正レンズは像側に凸の非球面の像側面を有することが好ましい。
第３レンズ群の最も像側の射出面を非球面にすることによって、軸外で発生するコマ収差の補正が容易になり、良好な結像性能を得やすくなる。
また、非球面を凸形状にすることによって、製造誤差による結像性能への影響を小さくすることができる。
【００２８】
また、第３レンズ群は物体側から順に、正屈折力の正単レンズ（Ｌ31）と、前記第１の接合レンズ成分（Ｌ32）と、前記第２の接合レンズ成分（Ｌ33）を有し、
その正単レンズ（Ｌ31）が少なくとも１面の非球面を有することが好ましい。
【００２９】
第３レンズ群の最も物体側に正屈折力の単レンズを配置することによって、第３レンズ群における各レンズ面の曲率あるいは各レンズの屈折力をさらに小さくすることができる。これにより収差の発生を抑えることができる。また、正屈折力の単レンズを少なくとも１面非球面にすることによって、第３レンズ群で発生する球面収差をより効果的に補正することが可能となる。
【００３０】
また、ズームレンズが以下の条件式（４）、（５）を満足することが好ましい。
０．２６＜ＵＹ1G／ｆw＜０．２８      （４）
０．２５＜ＵＹ3G／ｆ3＜０．５      （５）
ただし、
ｆwは広角端でのズームレンズ全系の焦点距離、
ＵＹ1Gは、広角端での前記第１レンズ群の物体側面における軸上マージナル光線の光軸からの高さ、
ＵＹ3Gは、広角端での前記第３レンズ群の物体側面における軸上マージナル光線の光軸からの高さ、
ｆ３は前記第３レンズ群の焦点距離、
である。
【００３１】
条件式（４）は、広角端での好ましいＦ値に関するものである。
条件式（４）の下限を下回らないようにして明るさを確保することで、画像のノイズの低減や焦点深度の浅い画像の撮影に有利となる。
条件式（４）の上限を上回らないようにすることで、結像性能を確保するためのレンズ枚数の低減に有利となる。
【００３２】
条件式（５）は、第３レンズ群で発生する収差量を適切に調整しやすくするための好ましい条件である。
条件式（５）の下限を下回らないようにすることで、条件式（４）を満足する明るさを確保しやすくなる。
条件式（５）の上限を上回らないようにすることで、第３レンズ群の有効径を小さくでき、収差補正を行いやすくなり、条件式（４）を満足したまま良好な結像性能の確保に有利となる。
【００３３】
条件式（５）に代えて、もしくは条件式（５）に加えて、以下の条件式（６）を満足するようにしてもよい。
０．６０＜ＵＹ3Ｇ／ｆw＜1.00      （６）
ただし、
ｆｗは広角端でのズームレンズ全系の焦点距離、
ＵＹ3Ｇは、広角端での前記第３レンズ群の物体側面における軸上マージナル光線の光軸からの高さ
である。
【００３４】
条件式（６）の下限を下回らないようにすることで、条件式（４）を満足する明るさを確保しやすくなる。
条件式（６）の上限を上回らないようにすることで、第３レンズ群の有効径を小さくでき、収差補正を行いやすくなり、条件式（４）を満足したまま良好な結像性能の確保に有利となる。
【００３５】
なお、ズームレンズがフォーカシング機構を備える場合、条件式の対応値が変化するが、その場合は最も遠距離に合焦した状態での値とする。また、明るさが調整可能な場合は、最も明るい状態での値とする。以降の条件式についても同様である。
【００３６】
コンパクト化を実現しながら、効率よく良好な光学性能を得られるように、本発明のズームレンズに上述の他にも以下のいずれかの構成を満足することが好ましい。
【００３７】
コンパクト化と光学性能のバランスの観点から、第１レンズ群の屈折力について以下の条件式（７）を満足することが好ましい。
７．０＜ｆ1／ｆw＜１０      （７）
ただし、
ｆ1は前記第１レンズ群の焦点距離、
ｆwは広角端でのズームレンズ全系の焦点距離
である。
条件式（７）の下限を下回らないようにして第１レンズ群の屈折力を抑えることで広角端での収差発生を低減でき、良好な光学性能の確保に有利となる。
条件式（７）の上限を上回らないようにして第１レンズ群の屈折力を確保することでズームレンズ全系の全長の小型化、しいては鏡筒の小型化に有利となる。
【００３８】
第２レンズ群の屈折力について、以下の条件式（８）、（９）を満足することが好ましい。
１．６＜｜ｆ2／ｆｗ｜＜２．１      （８）
３．５＜（β2t／β2w）×（β3t／β3w）×（β4t／β4w）＜５．０    （９）
ただし、
ｆ2は前記第２レンズ群の焦点距離、
ｆwは広角端でのズームレンズ全系の焦点距離、
β2w、β2tはそれぞれ前記第２レンズ群の広角端、望遠端での横倍率、
β3w、β3tはそれぞれ前記第３レンズ群の広角端、望遠端での横倍率、
β4w、β4tはそれぞれ前記第４レンズ群の広角端、望遠端での横倍率、
である。
【００３９】
条件式（９）は第１レンズ群から第４レンズ群までの系における好ましい変倍比を特定するものである。
条件式（９）の下限を下回らないようにすることでズームレンズ全系の変倍比の確保に有利となり、種々の撮影シーンに対応した撮影画角に調整できる。
条件式（９）の上限を上回らないようにすることで、レンズ群の移動量を低減しやすくなり、収差変動を抑えつつ小型化に有利となる。
条件式（８）の下限を下回らないようにすることで、負の屈折力を適度に抑え、収差補正に有利となる。
条件式（９）を満足し、条件式（８）の上限を上回らないようにすることで、第２レンズ群の負の屈折力を十分に確保でき、変倍のための移動量の低減、しいては鏡筒のコンパクト化に有利となる。
【００４０】
第３レンズ群の屈折力については以下の条件式（１０）を満足することが好ましい。
２．０＜ｆ3／ｆw＜３．０      （１０）
ただし、
ｆ3は前記第３レンズ群の焦点距離、
ｆwは広角端でのズームレンズ全系の焦点距離、
である。
【００４１】
条件式（１０）の下限を下回らないようにすることで、第３レンズ群の屈折力を適度に抑え、収差補正に有利となる。
条件式（１０）の上限を上回らないようにすることで、第３レンズ群での変倍作用を確保でき、望遠端への変倍時の全長の短縮に有利となる。加えて、射出瞳位置の変動量を抑えやすくなる。それにより、軸外の像面位置でＣＣＤ等の撮像素子への入射角変動によるシェーディング等に悪影響を抑えやすくなる。
【００４２】
第４レンズ群の屈折力については以下の条件式（１１）を満足することが好ましい。
３．４＜ｆ4／ｆw＜５．５      （１１）
ただし、
ｆ4は前記第４レンズ群の焦点距離、
ｆwは広角端でのズームレンズ全系の焦点距離、
である。
条件式（１１）の下限を下回らないようにし、且つ、上限を上回らないようにすることで、第４レンズ群の屈折力が適切となり、全変倍域における非点収差や歪曲収差の補正過剰、補正不足を抑えやすくなる。
【００４３】
第４レンズ群はプラスチック材料で形成してもよい。第４レンズ群の主な役割は、射出瞳位置を適切な位置に配置してＣＣＤやＣＭＯＳ等の電子撮像素子に効率よく光線を入射させることである。そのような役割のためには、上述した条件式（９）のような範囲内にパワーが設定されていれば比較的大きなパワーは必要とせず、プラスチックレンズのような屈折率の低い硝材を用いて構成することも可能である。
【００４４】
第４レンズ群にプラスチックレンズを用いればコストを安く抑え、より安価なズームレンズを提供することが可能となる。
広角端でのズームレンズ全系の焦点距離に対する、ズームレンズの全長については、以下の条件式（１２）を満足することが好ましい。
９．０＜Ｌw／ｆw＜１０．２      （１２）
ただし、
Ｌwはバックフォーカスを空気換算距離としたときの広角端での第１レンズ群の物体側面から像面までの光軸に沿った距離、
ｆwは広角端でのズームレンズ全系の焦点距離
である。
【００４５】
条件式（１２）の下限を下回らないようにすることで、第２レンズ群と第３レンズ群との間の間隔を確保でき、変倍のためのスペースの確保に有利となる。
条件式（１２）の上限を上回らないようにすることで、広角端におけるズームレンズ全長を抑え、鏡筒の厚さ方向のサイズの小型化に有利となる。また、第１レンズ群での光線高を低くでき、レンズ径の小型化にも有利となる。
【００４６】
また、第２レンズ群は、物体側から順に、負メニスカスレンズ成分、負レンズ成分、正レンズ成分からなることが好ましい。
このように構成して、第２レンズ群の主点位置を像側よりにすることにより、望遠側の変倍のためのスペースを確保しやすくなる。また、第２レンズ群での横倍率を高くでき、第２レンズ群による変倍作用の確保に有利となる。
【００４７】
このとき、第２レンズ群と第３レンズ群の変倍作用の割合については、以下の条件式（１３）を満足することが好ましい。
０．５＜（β2t／β2w）／（β3t／β3w）＜１．０      （１３）
３．５＜（β2t／β2w）×（β3t／β3w）×（β4t／β4w）＜５．０      （９）
ただし、
β2w、β2tはそれぞれ第２レンズ群の広角端、望遠端での横倍率、
β3w、β3tはそれぞれ第３レンズ群の広角端、望遠端での横倍率、
β4w、β4tはそれぞれ第４レンズ群の広角端、望遠端での横倍率、
である。
【００４８】
条件式（９）については前述しているので省略する。
条件式（１３）の下限を下回らないようにすることで、第３レンズ群の移動量を抑えやすくなり鏡筒サイズの小型化に有利となる。また、第３レンズ群の屈折力を抑えやすくなり収差、特に望遠端での球面収差等の軸上収差の補正に有利となる。
条件式（９）を満足し、条件式（１３）の上限を上回らないようにすることで、第２レンズ群の変倍負担を低減でき、全長の増加及び前玉径の増大を抑えやすくなる。加えて、第２レンズ群による収差、特に望遠端での像面湾曲や倍率色収差などの軸外諸収差の補正に有利となる。
【００４９】
第２レンズ群の変倍作用については、以下の条件式（１４）を満足することが好ましい。
１．４＜β２ｔ／β２ｗ＜２．１      （１４）
ただし、
β２ｗ、β２ｔはそれぞれ前記第２レンズ群の広角端、望遠端での横倍率
である。
【００５０】
条件式（１４）の下限を下回らないようにすることで、他のレンズ群の変倍作用の負担を抑えやすくなる。第３レンズ群の変倍負担を抑えることで、望遠端での球面収差等の軸上収差の発生を抑えやすくなる。第４レンズ群の変倍負担を抑えることで、第４レンズ群の屈折力を適度に小さくでき、全領域における非点収差などの低減に有利となる。
条件式（１４）の上限を上回らないようにすることで、第２レンズ群の屈折力を抑えやすくなる。それにより、第２レンズ群における収差、特に望遠端での像面湾曲や倍率色収差などの軸外諸収差の発生を抑えやすくなる。
【００５１】
また、第３レンズ群の変倍作用については、以下の条件式（１５）を満足することが好ましい。
１．８＜β3t／β3w＜２．９      （１５）
ただし、
β3w、β3tはそれぞれ前記第３レンズ群の広角端、望遠端での横倍率
である。
条件式（１５）の下限を下回らないようにすることで、他のレンズ群の変倍作用の負担を抑えやすくなる。第２レンズ群の変倍負担を抑えることで、望遠端での像面湾曲や倍率色収差などの軸外諸収差の発生を抑えやすくなる。第４レンズ群の変倍負担を抑えることで、第４レンズ群の屈折力を適度に小さくでき、全領域における非点収差などの低減に有利となる。
条件式（１５）の上限を上回らないようにすることで、第３レンズ群の屈折力を抑えやすくなる。それにより、第３レンズ群における収差、特に望遠端での球面収差等の軸上収差の発生を抑えやすくなる。
【００５２】
また、第４レンズ群の変倍作用については、以下の条件式（１６）を満足することが好ましい。
０．６＜β4t／β4w＜１．３      （１６）
ただし、β4w、β4tはそれぞれ前記第４レンズ群の広角端、望遠端での横倍率である。
【００５３】
条件式（１６）の下限を下回らないようにすることで、他のレンズ群の変倍作用の負担を抑えやすくなり、諸収差の補正をバランスよく行いやすくなる。第２レンズ群の変倍負担を抑えることで、望遠端での像面湾曲や倍率色収差などの軸外諸収差の発生を抑えやすくなる。第３レンズ群の変倍負担を抑えることで、望遠端での球面収差等の軸上収差の発生を抑えやすくなる。
上条件式（１６）の限を上回らないようにすることで、第４レンズ群の増倍による収差変動を抑えやすくなる。加えて、第４レンズ群をフォーカシングレンズ群とした場合、フォーカシング時の像面湾曲の変動を抑えやすくなる。
【００５４】
広角端でのズームレンズ全系の焦点距離に対する、広角端における第２レンズ群と第３レンズ群の光軸上での空気間隔については、以下の条件式（１７）を満足することが好ましい。
２．８＜Ｄ2w／ｆw＜４．２      （１７）
３．５＜（β2t／β2w）×（β３t／β3w）×（β4t／β4w）＜５．０      （９）
ただし、
Ｄ2wは広角端における第２レンズ群と第３レンズ群の間の光軸上での空気間隔、
ｆwは広角端でのズームレンズ全系の焦点距離、
β2w、β２ｔはそれぞれ第２レンズ群の広角端、望遠端での横倍率、
β3w、β３ｔはそれぞれ第３レンズ群の広角端、望遠端での横倍率、
β4w、β４ｔはそれぞれ第４レンズ群の広角端、望遠端での横倍率、
である。
【００５５】
条件式（９）については前述しているので省略する。
条件式（１７）の下限を下回らないようにすることで、第２レンズ群と第３レンズ群の間の間隔の変化量を確保でき変倍比の確保に有利となる。
条件式（９）を満足し、条件式（１７）の上限を上回らないようにすることで、広角端で、第１レンズ群と第２レンズ群を第３レンズ群に近づけられ、軸外光線の高さを低くできるのでレンズ径の小型化に有利となる。
【００５６】
広角端でのズームレンズ全系の焦点距離に対する、第３レンズ群の好ましい移動量について、以下の条件式（１８）を満足することが好ましい。
１．３＜Δ３Ｇ／ｆw＜２．４      （１８）
ただし、
Δ３Ｇは広角端から望遠端における第３レンズ群の移動量であり、物体側への移動を正とし、
ｆwは広角端でのズームレンズ全系の焦点距離、
である。
【００５７】
条件式（１８）の下限を下回らないようにすることで、第３レンズ群の屈折力を抑えても、第３レンズ群での変倍比を確保しやすくなり、収差補正に有利となる。
条件式（１８）の上限を上回らないようにすることで、望遠端におけるズームレンズ全長を抑えられ、鏡筒の厚さ方向のサイズの小型化につながる。
【００５８】
また、第３レンズ群の物体側直前に配置された明るさ絞りを有し、明るさ絞りは広角端から望遠端への変倍時に第３レンズ群と一体で移動することが好ましい。
結像作用に重要に関わる第３レンズ群の物体側直前に明るさ絞りを配置することにより、第３レンズ群の屈折力を確保しながら径方向の小型化ができる。また、このように構成すると、第３レンズ群における変倍時の光線高の変化が少ないため、ズーム全域にわたり安定した結像性能が得られる。
【００５９】
また、第１レンズ群については１つのレンズ成分で構成することが好ましい。
第１レンズ群も第２レンズ群と同様、軸外光線の光軸上からの高さが高くなる。第１レンズ群中のレンズ成分の数が多くなると入射瞳位置が物体側から見て遠くなる。そのため、第１レンズ群における軸外光線高さはますます高くなり、ふち肉確保のための軸上肉厚はより厚みが必要となる。当然、レンズ枚数が増えると第１レンズ群の軸上肉厚も大きくなってしまう。そのため、第１レンズ群を１つのレンズ成分で構成することで鏡筒のコンパクト化に有利となる。
【００６０】
第１レンズ群は、負レンズと正レンズの接合レンズ成分で構成しても良い。接合レンズ成分とすると、高変倍比化による望遠端の長焦点化の際に目立ちやすくなる軸上色収差の補正を効果的に行うことができる。また、組み立て誤差による複数のレンズの相対偏心での光学性能の劣化を抑えることができ、歩留まりの向上やコストダウンに貢献できる。
【００６１】
また、第１レンズ群を１つのレンズ成分で構成する場合、条件式（１９）、（２０）を満足することが好ましい。
０．７２５＜ＩＨ／ｆw＜０．８      （１９）
−１．０＜Ｄ2w／Ｌ11r＜１．０      （２０）
ただし、
ＩＨは像面における軸外光線の最大光線高
ｆwは広角端でのズームレンズ全系の焦点距離、
Ｄ2wは広角端における第２レンズ群と第３レンズ群の光軸上での空気間隔、
Ｌ11rは第１レンズ群の最も像側の面の曲率半径、
である。
【００６２】
条件式（１９）は像高と広角端での焦点距離との好ましい比を特定するものである。なお、像高の値が変化する場合はとり得る範囲のうちの最大値とする。
条件式（１９）の下限を下回らないようにすることで、広角端での画角の確保に有利となる。
条件式（１９）の上限を上回らないようにすることで、軸外収差の補正や光量の確保のための第１、第２レンズ群のレンズ枚数の増加や高価な硝材の使用を抑制できる。
【００６３】
条件式（２０）の下限を下回らないようにして、第１レンズ群の像側面が強い凸面にならないようにする。これにより、広角端付近での軸外収差の低減に有利となる。
条件式（２０）の上限を上回らないようにして、第１レンズ群の像側面が強い凹面にならないようにする。これにより、望遠端付近での軸上収差の低減に有利となる。
【００６４】
また、第２レンズ群は、広角端の軸外光線高と望遠端の軸外光線高の差が大きくなる。
そのため、第２レンズ群に非球面レンズを配置することで、広角端と望遠端での収差補正が容易となる。
【００６５】
また、第４レンズ群は、広角端の軸外光線高と望遠端の軸外光線高の差が大きくなる。もしくは、軸上光束と軸外光束が分離しやすくなる。
そのため、第４レンズ群に非球面レンズを配置することで、広角端と望遠端での収差補正や像面湾曲の補正が容易となる。
【００６６】
広角端から望遠端への変倍において、第１レンズ群は広角端よりも望遠端で物体側にあるように移動させるのが良い。その際、物体側へのみ移動させても良いし、像側に凸の軌跡で移動させても良い。第２レンズ群は像側へのみ移動させても良いし、像側に凸の軌跡で移動させても良い。
第３レンズ群は物体側へのみに移動させるのが良い。第４レンズ群は物体側へのみ移動させても良いし、像側へのみ移動させても良い。あるいは物体側に凸、または像側に凸の軌跡で移動させても良い。
【００６７】
また、ゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、第４レンズ群から像面間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【００６８】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
また、ピント調節を行うためのフォーカシングは第４レンズ群で行うことが好ましい。
第４レンズ群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。
【００６９】
上述のように第４レンズ群でのフォーカシングが望ましいが、第１、２、３レンズ群でフォーカシングを行っても良い。また複数のレンズ群を移動してフォーカシングを行っても良い。またレンズ系全体を物体側に繰り出してフォーカシングを行っても良い。一部のレンズを繰り出し、もしくは繰り込みしてフォーカシングを行っても良い。
【００７０】
また、上述のいずれか一項に記載のズームレンズと、そのズームレンズの像側に配置され、ズームレンズにより形成される像を電気信号に変換する撮像素子とを有する撮像装置とすることができる。
【００７１】
また画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
また意図的に光学系で歪曲収差を出しておき、撮影後に電気的に画像処理を行って歪みを補正してもかまわない。
【００７２】
また、ズームレンズは４群ズームレンズとすることで、いっそうの小型化に有利となる。撮像面の直前に屈折力の小さい非球面レンズを配置して非点収差をいっそう良好に補正し得るようにしてもよい。
【００７３】
また、上述の各構成、各条件式は複数を同時に満足することがより好ましい。
また、各条件式について、以下のように上限値と下限値を限定すると、いっそう効果を確実にできる。
条件式の下限値のみ、もしくは上限値のみを限定してもよい。
【００７４】
条件式（１）において、以下のようにすると更に良い。
−０．８５＜ＳＦ3n＜−０．２５      （１’）
以下のようにするとなお良い。
−０．８０＜ＳＦ3n＜−０．５      （１”）
【００７５】
条件式（２）において、以下のようにすると更に良い。
５５＜νｄ3＜１１５      （２’）
以下のようにするとなお良い。
６０＜νｄ3＜１１２      （２”）
【００７６】
条件式（３）において、以下のようにすると更に良い。
０．０９＜Ｄ3／ｆ3＜０．１８      （３’）
以下のようにするとなお良い。
０．０９＜Ｄ3／ｆ3＜０．１５      （３”）
【００７７】
条件式（５）において、以下のようにすると更に良い。
０．２６＜ＵＹ3G／ｆ3＜０．４５      （５’）
以下のようにするとなお良い。
０．２７＜ＵＹ3G／ｆ3＜０．４０      （５”）
【００７８】
条件式（６）において、
以下のようにすると更に良い。
０．６５＜ＵＹ3G／ｆw＜０．９５      （６’）
以下のようにするとなお良い。
０．７０＜ＵＹ3G／ｆw＜０．９０      （６”）
【００７９】
条件式（７）において、
以下のようにするとさらに良い。
７．５＜ｆ1／ｆw＜９．５      （７’）
以下を満足するとなお良い。
８．０＜ｆ1／ｆw＜９．２      （７”）
【００８０】
条件式（８）において、
以下のようにすると更に良い。
１．６５＜｜ｆ2／ｆw｜＜２．０５      （８’）
以下を満足するとなお良い。
１．７０＜｜ｆ2／ｆw｜＜２．００      （８”）
【００８１】
条件式（１０）において、
以下のようにすると更に良い。
２．２＜ｆ３／ｆｗ＜２．９      （１０’）
以下を満足するとなお良い。
２．４＜ｆ３／ｆｗ＜２．８      （１０”）
【００８２】
条件式（１１）において、以下のようにすると更に良い。
３．６＜ｆ４／ｆｗ＜５．２５      （１１’）
以下を満足するとなお良い。
３．８＜ｆ４／ｆｗ＜５．００      （１１”）
【００８３】
条件式（１２）において、以下のようにすると更に良い。
９．２＜Ｌw／ｆw＜１０．０      （１２’）
以下を満足するとなお良い。
９．４＜Ｌw／ｆw＜９．８      （１２”）
【００８４】
条件式（１３）において、以下のようにすると更に良い。
０．５５＜（β2t／β2w）／（β3t／β3w）＜０．９５      （１３’）
以下を満足するとなお良い。
０．６０＜（β2t／β2w）／（β3t／β3w）＜０．９０      （１３”）
【００８５】
条件式（１４）において、以下のようにすると更に良い。
１．５＜β2t／β2w＜２．０      （１４’）
以下を満足するとなお良い。
１．６＜β２ｔ／β２ｗ＜１．９      （１４”）
条件式（１５）において、以下のようにすると更に良い。
１．９＜β3t／β3w＜２．８      （１５’）
以下を満足するとなお良い。
２．０＜β3t／β3w＜２．７      （１５”）
【００８６】
条件式（１６）において、以下のようにすると更に良い。
０．７＜β4t／β4w＜１．２      （１６’）
以下を満足するとなお良い。
０．８＜β4t／β4w＜１．１      （１６”）
【００８７】
条件式（１７）において、以下のようにすると更に良い。
３．０＜Ｄ2w／ｆw＜４．０      （１７’）
以下を満足するとなお良い。
３．２＜Ｄ2w／ｆw＜３．８      （１７”）
【００８８】
条件式（１８）において、以下のようにすると更に良い。
１．４＜Δ３Ｇ／ｆw＜２．３      （１８’）
以下を満足するとなお良い。
１．５＜Δ３Ｇ／ｆw＜２．２      （１８”）
条件式（２０）において、以下のようにすると更に良い。
−０．８＜Ｄ2w／Ｌ11r＜０．８      （２０’）
以下を満足するとなお良い。
−０．５＜Ｄ2w／Ｌ11r＜０．５      （２０’）’
【発明の効果】
【００８９】
本発明によれば、画角、変倍比、Ｆ値を確保しながらも、結像性能を良好としやすいズームレンズを提供できる。
更には、そのようなズームレンズを備えた撮像装置を提供することができる。
【図面の簡単な説明】
【００９０】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】実施例１の無限遠物点合焦時の収差図である。
【図１３】実施例２の無限遠物点合焦時の収差図である。
【図１４】実施例３の無限遠物点合焦時の収差図である。
【図１５】実施例４の無限遠物点合焦時の収差図である。
【図１６】実施例５の無限遠物点合焦時の収差図である。
【図１７】実施例６の無限遠物点合焦時の収差図である。
【図１８】実施例７の無限遠物点合焦時の収差図である。
【図１９】実施例８の無限遠物点合焦時の収差図である。
【図２０】実施例９の無限遠物点合焦時の収差図である。
【図２１】実施例１０の無限遠物点合焦時の収差図である。
【図２２】実施例１１の無限遠物点合焦時の収差図である。
【図２３】歪曲収差の補正を説明する図である。
【図２４】本発明によるズームレンズを組み込んだデジタルカメラの外観を示す前方斜視図である。
【図２５】上記デジタルカメラの後方図である。
【図２６】上記デジタルカメラの断面図である。
【図２７】デジタルカメラの主要部の内部回路の構成ブロック図である。
【発明を実施するための形態】
【００９１】
以下に、本発明にかかるズームレンズ及び撮像装置の実施例を図面に基づいて詳細に説明する。なお、この実施例によりこの発明が限定されるものではない。
いずれの実施例も、鏡筒の沈胴時の薄型化に適していて、コンパクトでありながら、Ｆ値が広角端で１．８程度と明るく、広角端での画角が７５°程度と広く、ズーム比が４倍程度を有し、結像性能が高いズームレンズとなっている。また、射出瞳を像面から遠ざけやすく、ＣＣＤやＣＭＯＳ等の撮像素子に適している安価なズームレンズとなっている。
また、遠距離物から近距離へのフォーカシングは第４レンズ群を物体側へ繰り出して行う。
未使用時に第３レンズ群の光軸を撮像面の短辺方向に平行移動させて他のレンズ群の光軸から離脱させ、第４レンズ群の下方（もしくは上方）に位置するように沈胴収納させてもよい。
第４レンズ群を構成するレンズの下方(もしくは上方)を、撮像面の長辺方向と平行にＤカットを行っても良い。
また、数値データ中の第１３面は仮想面である。
さらに、２つの平行平板は、赤外カットコートを施したローパスフィルター、撮像素子の撮像面前面に位置する透明カバー部材である。
また、図中の最終面は像面であり、撮像素子の撮像面が位置する。
このようなズームレンズをデジタルカメラなどの撮像装置に搭載することで高性能の撮像装置となる。
【００９２】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００９３】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【００９４】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズからなる。
【００９５】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【００９６】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００９７】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【００９８】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、両凸正レンズと両凹負レンズの接合レンズとからなる。
【００９９】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の両凸正レンズの物体側の面の６面に用いている。
【０１００】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１０１】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１０２】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、物体側に凸面を向けた正メニスカスレンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１０３】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１０４】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１０５】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１０６】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、物体側に凸面を向けた負メニスカスレンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１０７】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１０８】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１０９】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１１０】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、物体側に凸面を向けた正メニスカスレンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１１１】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１１２】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１３】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１１４】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１１５】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面
を向けた正メニスカスレンズの物体側の面の６面に用いている。
【０１１６】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１７】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１１８】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１１９】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１２０】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２１】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１２２】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、物体側に凸面を向けた負メニスカスレンズと、物体側に凸面を向けた正メニスカスレンズとからなる。
第３レンズ群Ｇ３は、両凸正レンズと、物体側に凸面を向けた正メニスカスレンズと物体側に凸面を向けた負メニスカスレンズの接合レンズと、像側に凸面を向けた負メニスカスレンズと像側に凸面を向けた正メニスカスレンズの接合レンズとからなる。
第４レンズ群Ｇ４は、物体側に凸面を向けた正メニスカスレンズとからなる。
【０１２３】
非球面は、第２レンズ群Ｇ２の物体側に凸面を向けた負メニスカスレンズの両面と、第３レンズ群Ｇ３の物体側の両凸正レンズの両面と像側に凸面を向けた正メニスカスレンズの像側の面と、第４レンズ群Ｇ４の物体側に凸面を向けた正メニスカスレンズの物体側の面の６面に用いている。
【０１２４】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２５】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１２６】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１２７】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１２８】
実施例１０のズームレンズは、図１０に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２９】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１３０】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、両凹負レンズと、両凸正レンズとからなる。
第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズとからなる。
第４レンズ群Ｇ４は、物体側に凸面を向けた正メニスカスレンズとからなる。
【０１３１】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の物体側に凸面を向けた正メニスカスレンズの物体側の面の６面に用いている。
【０１３２】
実施例１１のズームレンズは、図１１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３３】
広角端から望遠端にかけての変倍時、第１レンズ群Ｇ１は、まず像側に移動し、広角端から中間焦点距離状態の間で移動方向を反転させ物体側に移動する。広角端よりも望遠端で物体側に位置する。
第２レンズ群Ｇ２は、まず像側に移動し、中間焦点距離状態から望遠端の間で移動方向を反転させ物体側に移動する。広角端よりも望遠端で像側に位置する。
第３レンズ群Ｇ３は、物体側にのみ移動する。
第４レンズ群Ｇ４は、まず物体側に移動し、中間焦点距離状態から望遠端の間で移動方向を反転させ像側に移動する。広角端よりも望遠端で物体側に位置する。
【０１３４】
物体側から順に、第１レンズ群Ｇ１は、物体側に凸面を向けた負メニスカスレンズと物体側に凸面を向けた正メニスカスレンズの接合レンズとからなる。
第２レンズ群Ｇ２は、物体側に凸面を向けた負メニスカスレンズと、物体側に凸面を向けた負メニスカスレンズと、物体側に凸面を向けた正メニスカスレンズとからなる。
第３レンズ群Ｇ３は、両凸正レンズと、物体側に凸面を向けた正メニスカスレンズと両凹負レンズの接合レンズと、像側に凸面を向けた負メニスカスレンズと像側に凸面を向けた正メニスカスレンズの接合レンズとからなる。
第４レンズ群Ｇ４は、物体側に凸面を向けた正メニスカスレンズとからなる。
【０１３５】
非球面は、第２レンズ群Ｇ２の物体側に凸面を向けた負メニスカスレンズの両面と、第３レンズ群Ｇ３の物体側の両凸正レンズの両面と像側に凸面を向けた正メニスカスレンズの像側の面と、第４レンズ群Ｇ４の物体側に凸面を向けた正メニスカスレンズの物体側の面の６面に用いている。
【０１３６】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦNOはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１３７】
なお、非球面形状は、ｘを光の進行方向を正とした光軸とし、ｙを光軸と直交する方向にとると、下記の式にて表される。
【０１３８】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１３９】
また、ズームデータはいずれも無限遠に合焦した状態での数値である。
左から、広角端ＷＥ、中間焦点距離状態ＳＴ１、望遠端ＴＥ、広角端と中間焦点距離の間の状態ＳＴ２、中間焦点距離から望遠端の間の状態ＳＴ３、でのデータを示す。
また、収差図は、広角端、中間焦点距離状態、望遠端のものを示す。
【０１４０】
数値実施例１
単位：ｍｍ
面データ
面番号         r          d         nd        νd
物面          ∞         ∞
1            32.407      1.00     1.94595    17.98
2            24.711      3.71     1.81600    46.62
3           181.957      可変
4            62.535      1.00     1.88300    40.76
5             8.539      4.99
6*          -35.795      0.80     1.58313    59.38
7*           15.195      1.40
8            23.234      2.08     2.00069    25.46
9          -202.836      可変
10(絞り)      ∞         0.50
11*          11.020      2.44     1.58313    59.38
12*         -53.044      0.00
13            ∞         0.10
14            9.183      2.40     1.80100    34.97
15           17.413      0.70     1.80518    25.42
16            6.265      1.80
17          -40.899      0.70     1.69895    30.13
18           12.775      2.64     1.49700    81.61
19*         -10.249      可変
20*          12.126      2.49     1.49700    81.54
21           63.255      可変
22            ∞         0.50     1.54771    62.84
23            ∞         0.50
24            ∞         0.50     1.51633    64.14
25            ∞         1.01
像面          ∞
非球面データ
第６面
k=0.000
A4=8.82324e-05,A6=-3.16588e-06,A8=3.95523e-08,A10=-3.06841e-10
第７面
k=0.000
A4=-2.34654e-05,A6=-3.40520e-06,A8=3.18367e-08,A10=-1.86747e-10
第１１面
k=0.000
A4=-5.09661e-05,A6=-4.13815e-08,A8=-5.03716e-09,
第１２面
k=0.000
A4=1.14214e-04,A6=8.07123e-08
第１９面
k=,0.000
A4=-8.26476e-06,A63.14592e-07=,A8=-8.73717e-08
第２０面
k=0.000
A4=-2.99323e-05,A6=2.94977e-08
ズームデータ
WE       ST1       TE        ST2       ST3
焦点距離           6.06     12.72     23.50      8.22     18.76
ＦＮＯ．           1.85      2.19      2.54      1.97      2.39
画角２ω          78.41     39.96     21.95     59.83     27.50
D3                 0.30      7.62     16.02      2.82     12.89
D9                21.11      6.50      1.10     13.63      2.44
D19                3.00      6.15     11.72      3.96      8.90
D21                5.17      6.82      6.10      5.94      7.03
fb (in air)        7.33      8.97      8.27      8.10      9.19
全長 (in air)     60.49     57.99     65.85     57.26     62.17
群焦点距離
f1=50.47    f2=-11.67     f3=16.15     f4=29.71
【０１４１】
数値実施例２
単位：ｍｍ
面データ
面番号         r          d         nd        νd
物面          ∞         ∞
1            34.234      1.00     1.94595    17.98
2            26.431      3.40     1.81600    46.62
3           304.697      可変
4            58.742      1.00     1.88300    40.76
5             8.027      4.28
6*          -37.316      1.00     1.69350    53.21
7*           27.854      1.53
8            25.275      1.91     1.92286    20.88
9         -1287.866      可変
10(絞り)      ∞         0.50
11*          14.062      2.11     1.85135    40.10
12*        -229.434      0.01
13            ∞         0.16
14            8.396      2.43     1.58913    61.14
15           25.547      0.70     1.74077    27.79
16            6.543      1.66
17          -45.415      0.70     1.76182    26.52
18           13.788      2.50     1.58313    59.38
19*         -12.682      可変
20*          14.086      3.00     1.74320    49.34
21          -61.445      0.80     1.69895    30.13
22           50.317      可変
23            ∞         0.50     1.54771    62.84
24            ∞         0.50
25            ∞         0.50     1.51633    64.14
26            ∞         1.02
像面          ∞
非球面データ
第６面
k=0.000
A4=1.22305e-04,A6=-3.78786e-06,A8=1.63670e-08,A10=-3.83663e-10
第７面
k=0.000
A4=4.70833e-05,A6=-3.49825e-06,A8=-1.99464e-08,A10=2.89545e-10
第１１面
k=-0.862
A4=5.16574e-05,A6=1.85386e-07,
第１２面
k=0.000
A4=9.42257e-05
第１９面
k=0.000
A4=1.62253e-05,A6=1.15227e-07
第２０面
k=0.000
A4=-5.48767e-06
ズームデータ
WE       ST1       TE        ST2       ST3
焦点距離           6.06     12.73     23.49      8.18     18.78
ＦＮＯ．           1.88      2.23      2.71      2.00      2.51
画角２ω          78.00     39.61     21.84     59.63     27.44
D3                 0.48      7.72     14.78      2.99     11.70  
D9                19.49      6.24      1.19     12.74      2.09  
D19                5.81      9.46     16.68      6.78     13.34  
D22                3.23      5.18      4.97      4.16      5.91
fb (in air)        5.41      7.35      7.15      6.33      8.09
全長 (in air)     59.89     59.47     68.50     57.53     63.90
群焦点距離
f1=49.36    f2=-10.76     f3=15.93     f4=24.31
【０１４２】
数値実施例３
単位：ｍｍ
面データ
面番号         r          d         nd        νd
物面          ∞         ∞
1            37.516      1.00     1.94595    17.98
2            28.269      3.65     1.81600    46.62
3           308.051      可変
4            85.041      1.00     1.88300    40.76
5             8.923      4.16
6*         -199.432      1.00     1.59201    67.02
7*           14.964      2.30
8            20.381      2.02     1.92286    20.88
9            76.402      可変
10(絞り)      ∞         0.50
11*          13.680      2.11     1.85135    40.10
12*        -448.191      0.00
13            ∞         0.10
14            8.472      2.34     1.65160    58.55
15           25.860      0.70     1.74077    27.79
16            6.299      1.87
17          -39.809      0.70     1.78472    25.68
18           15.491      2.60     1.58313    59.38
19*         -12.041      可変
20*          11.431      2.80     1.49700    81.54
21           83.333      可変
22            ∞        0.50     1.54771    62.84
23            ∞        0.50
24            ∞        0.50     1.51633    64.14
25            ∞        1.02
像面          ∞
非球面データ
第６面
k=0.000
A4=1.83861e-04,A6=-4.87899e-06,A8=5.56765e-08,A10=-4.48996e-10
第７面
k=0.000
A4=8.73933e-05,A6=-5.31729e-06,A8=3.79977e-08,A10=-2.41882e-10
第１１面
k=0.000
A4=2.06870e-05,A6=1.06760e-07
第１２面
k=0.000
A4=1.05879e-04 
第１９面
k=0.000
A4=2.54312e-05,A6=2.25398e-08
第２０面
k=0.000
A4=-2.05812e-05
ズームデータ
WE       ST1       TE        ST2       ST3
焦点距離           6.06     12.73     23.49      8.18     18.79
ＦＮＯ．           1.88      2.24      2.70      2.00      2.52
画角２ω          77.99     39.78     21.84     59.61     27.53
D3                 0.73      8.38     16.98      3.59     12.88  
D9                20.29      6.35      1.47     13.32      2.16  
D19                5.89      9.55     16.20      6.82     13.36  
D21                3.50      5.48     5.00       4.42      6.16
fb (in air)        5.67      7.66      7.18      6.59      8.33
全長 (in air)     61.42     60.78     70.68     59.16     65.58
群焦点距離
f1=55.03    f2=-11.03     f3=15.85     f4=26.32
【０１４３】
数値実施例４
単位：ｍｍ
面データ
面番号         r          d         nd        νd
物面          ∞         ∞
1            37.599      1.00     1.94595    17.98
2            28.758      3.40     1.81600    46.62
3           326.912      可変
4            69.595      1.00     1.88300    40.76
5             8.468      4.32
6*          -55.584      0.80     1.58313    59.38
7*           20.238      2.05
8            23.491      1.57     1.92286    20.88
9           143.909      可変
10(絞り)      ∞         0.50
11*          14.093      2.09     1.85135    40.10
12*        -220.843      0.00
13            ∞         0.10
14            8.187      2.38     1.65160    58.55
15           20.827      0.60     1.75520    27.51
16            6.246      1.89
17          -35.712      0.60     1.74077    27.79
18           12.006      2.60     1.58313    59.38
19*         -11.961      可変
20*          11.612      2.80     1.49700    81.54
21           90.909      可変
22            ∞         0.50     1.54771    62.84
23            ∞         0.50
24            ∞         0.50     1.51633    64.14
25            ∞         1.02
像面          ∞
非球面データ
第６面
k=0.000
A4=1.65903e-04,A6=-4.84257e-06,A8=3.83218e-08,A10=-3.82278e-10
第７面
k=0.000
A4=7.51457e-05,A6=-4.81271e-06,A8=6.36274e-09,A10=9.70635e-11
第１１面
k=0.000
A4=1.63367e-05,A6=7.98464e-08
第１２面
k=0.000
A4=9.89562e-05
第１９面
k=0.000
A4=2.58997e-05,A6=-2.09003e-07
第２０面
k=0.000
A4=-1.87694e-05
ズームデータ
WE       ST1       TE        ST2       ST3
焦点距離           6.06     12.75     23.49      8.21     18.78
ＦＮＯ．           1.85      2.21      2.66      1.97      2.47
画角２ω          77.99     39.72     21.84     59.38     27.46
D3                 0.81      8.28     16.74      3.67     13.13  
D9                20.18      6.19      1.28     13.18      2.20  
D19                5.69      9.27     15.85      6.64     12.81  
D21                3.48      5.48      5.03      4.38      6.03
fb (in air)        5.65      7.65      7.20      6.55      8.21
全長 (in air)     60.03     59.08     68.76     57.73     64.04
群焦点距離
f1=54.55    f2=-11.10     f3=15.67     f4=26.48
【０１４４】
数値実施例５
単位：ｍｍ
面データ
面番号         r          d         nd        νd
物面          ∞         ∞ 
1            32.479      1.00     1.94595    17.98
2            24.920      3.63     1.81600    46.62
3           181.444      可変
4            82.126      1.00     1.88300    40.76
5             8.608      3.75
6*         -461.718      0.80     1.58313    59.38
7*           14.319      2.80
8            25.709      1.61     1.92286    20.88
9           444.290      可変
10(絞り)      ∞         0.50
11*          11.650      2.65     1.74320    49.34
12*         -64.594      0.00
13            ∞         0.10
14            7.535      2.52     1.49700    81.54
15           18.245      0.60     1.75520    27.51
16            5.784      2.09
17          -26.961      0.59     1.84666    23.78
18           75.476      1.92     1.49700    81.54
19*         -10.082      可変
20*          12.332      2.30     1.58313    59.38
21           49.198      可変
22            ∞         0.50     1.54771    62.84
23            ∞         0.50
24            ∞         0.50     1.51633    64.14
25            ∞         1.00
像面          ∞
非球面データ
第６面
k=0.000
A4=-1.34305e-04,A6=-3.35475e-08,A8=2.12158e-08,A10=-3.98495e-10
第７面
k=0.000
A4=-2.72863e-04,A6=1.41606e-08,A8=7.26216e-09,A10=-2.57845e-10
第１１面
k=0.000
A4=-2.26557e-05,A6=3.87409e-08
第１２面
k=0.000
A4=1.03062e-04
第１９面
k=0.000
A4=1.10738e-04,A6=1.58748e-07
第２０面
k=0.000
A4=4.43250e-06,A6=1.78804e-07
ズームデータ
WE       ST1       TE        ST2       ST3
焦点距離           6.05     12.70     23.48      8.21     18.74
ＦＮＯ．           1.85      2.20      2.64      1.96      2.45
画角２ω          77.99     39.80     21.74     59.43     27.44
D3                 0.85      7.94     16.10      3.52     12.82
D9                21.10      6.57      1.91     13.58      2.68 
D19                4.43      7.40     13.88      4.94     10.64
D21                3.66      5.50      3.99      4.69      5.56
fb (in air)        5.81      7.65      6.15      6.84      7.71
全長 (in air)     60.06     57.43     65.90     56.75     61.72
群焦点距離
f1=50.57    f2=-11.30     f3=15.49     f4=27.59
【０１４５】
数値実施例６
単位：ｍｍ
面データ
面番号         r          d         nd        νd
物面          ∞         ∞ 
1            32.304      1.00     1.94595    17.98
2            24.943      3.64     1.81600    46.62
3           172.655      可変
4            71.002      1.00     1.88300    40.76
5             8.475      4.64
6*          -53.111      0.80     1.58313    59.38
7*           14.386      1.69
8            26.088      1.95     2.00069    25.46
9          -134.426      可変
10(絞り)      ∞         0.50
11*          13.456      2.07     1.85135    40.10
12*        -118.344      0.00
13            ∞         0.10
14            7.116      2.48     1.49700    81.54
15           17.554      0.60     1.80518    25.42
16            5.880      1.75
17          -29.806      0.60     1.75520    27.51
18           19.475      2.65     1.58313    59.38
19*         -11.467      可変
20*          11.705      2.67     1.49700    81.54
21          129.496      可変
22            ∞         0.50     1.54771    62.84
23            ∞         0.50
24            ∞         0.50     1.51633    64.14
25            ∞         1.02
像面          ∞
非球面データ
第６面
k=0.000
A4-1.28981e-04=,A6=2.69614e-06,A8=-4.77413e-08,A10=1.62318e-10
第７面
k=0.000
A4=-2.71603e-04,A6=2.76804e-06,A8=-6.52305e-08,A10=3.78272e-10
第１１面
k=0.000
A4=7.65870e-06,A6=-4.40696e-07,A8=-3.41785e-09
第１２面
k=0.000
A4=9.62632e-05,A6=-6.84479e-07
第１９面
k=0.000
A4=3.81210e-05,A6=2.22804e-07,A8=-2.27952e-08
第２０面
k=0.000
A4=-1.04608e-05,A6=4.43120e-08
ズームデータ
WE       ST1       TE        ST2       ST3
焦点距離           6.07     12.73     23.52      8.23     18.79
ＦＮＯ．           1.85      2.16      2.59      1.95      2.39
画角２ω          77.96     39.90     21.81     59.40     27.49
D3                 0.46      7.90     15.96      3.38     12.87
D9                21.11      6.06      1.08     13.53      1.98
D19                4.84      7.68     14.10      5.48     10.83
D21                3.67      5.51      4.26      4.56      5.64
fb (in air)        5.84      7.68      6.44      6.73      7.81
全長 (in air)     60.37     57.46     65.71     57.26     61.62
群焦点距離
f1=50.70    f2=-11.72     f3=15.94     f4=25.70
【０１４６】
数値実施例７
単位：ｍｍ
面データ
面番号         r          d         nd        νd
物面          ∞         ∞ 
1            32.493      1.00     1.94595    17.98
2            24.819      3.71     1.81600    46.62
3           183.549      可変
4            63.282      1.00     1.88300    40.76
5             8.498      5.04
6*          -36.519      0.80     1.58313    59.38
7*           15.608      1.32
8            23.651      2.08     2.00069    25.46
9          -188.878      可変
10(絞り)      ∞         0.50
11*          11.952      2.24     1.69350    53.21
12*         -84.433      0.00
13            ∞         0.10
14            9.560      2.44     1.77250    49.60
15           17.376      0.70     1.74000    28.30
16            6.253      1.97
17          -40.030      0.70     1.69895    30.13
18           12.750      2.61     1.49700    81.61
19*         -10.553      可変
20*          11.804      2.55     1.49700    81.54
21           71.445      可変
22            ∞         0.50     1.54771    62.84
23            ∞         0.50
24            ∞         0.50     1.51633    64.14
25            ∞         1.03
像面          ∞
非球面データ
第６面
k=0.000
A4=3.88874e-05,A6=-1.28328e-06,A8=3.13845e-09,A10=-8.86196e-11
第７面
k=0.000
A4=-7.29768e-05,A6=-1.42649e-06,A8=-9.39329e-09,A10=1.05903e-10
第１１面
k=0.000
A4=-2.87417e-05,A6=-3.33033e-07,A8=-3.40624e-09
第１２面
k=0.000
A4=9.32699e-05,A6=-2.78366e-07
第１９面
k=0.000
A4=7.48009e-06,A6=1.98580e-07,A8=-8.10780e-08
第２０面
k=0.000
A4=-2.49722e-05,A6=-7.43539e-09
ズームデータ
WE       ST1       TE        ST2       ST3
焦点距離           6.07     12.73     23.52      8.24     18.77
ＦＮＯ．           1.85      2.18      2.54      1.97      2.38
画角２ω          78.46     40.01     21.91     59.80     27.51
D3                 0.30      7.57     16.03      2.83     12.94
D9                21.11      6.31      1.09     13.62      2.35
D19                3.77      6.69     12.30      4.76      9.41
D21                4.34      6.13      5.29      5.08      6.31
fb (in air)        6.52      8.31      7.47      7.27      8.49
全長 (in air)     60.45     57.63     65.64     57.23     61.93
群焦点距離
f1=50.52    f2=-11.66     f3=15.93     f4=28.05
【０１４７】
数値実施例８
単位：ｍｍ
面データ
面番号         r          d         nd        νd
物面          ∞         ∞ 
1            32.650      1.00     1.94595    17.98
2            25.397      3.62     1.81600    46.62
3           179.536      可変
4            69.450      1.00     1.88300    40.76
5             8.584      3.91
6*          151.215      0.80     1.58313    59.38
7*           13.194      2.66
8            25.436      1.65     1.92286    20.88
9           272.152      可変
10(絞り)      ∞         0.50
11*          13.592      2.27     1.74320    49.34
12*         -48.258      0.00
13            ∞         0.10
14            6.860      2.68     1.49700    81.54
15           17.551      0.59     1.75520    27.51
16            5.593      1.95
17          -20.066      0.60     1.92286    20.88
18          -80.822      2.00     1.58313    59.38
19*         -10.406      可変
20*          11.944      2.62     1.49700    81.54
21           84.174      可変
22            ∞         0.50     1.54771    62.84
23            ∞         0.50
24            ∞         0.50     1.51633    64.14
25            ∞         1.02
像面          ∞
非球面データ
第６面
k=0.000
A4=-4.47230e-04,A6=1.02657e-05,A8=-1.53720e-07,A10=7.29943e-10
第７面
k=0.000
A4=-6.03831e-04,A6=1.14883e-05,A8=-2.01411e-07,A10=1.19791e-09
第１１面
k=0.000
A4=-1.43577e-05,A6=-5.53403e-07,A8=-8.85897e-09
第１２面
k=0.000
A4=8.95102e-05,A6=-1.03207e-06
第１９面
k=0.000
A4=8.70021e-05,A6=3.84489e-07,A8=-1.40489e-08
第２０面
k=0.000
A4=-2.65103e-06,A6=1.62547e-07
ズームデータ
WE       ST1       TE        ST2       ST3
焦点距離           6.07     12.74     23.52      8.22     18.78
ＦＮＯ．           1.85      2.18      2.61      1.96      2.43
画角２ω          77.96     39.69     21.78     59.32     27.42
D3                 0.63      7.89     15.90      3.36     12.57
D9                21.10      6.33      1.39     13.62      2.26
D19                4.58      7.19     13.55      5.18     10.42
D21                3.51      5.51      4.26      4.47      5.68
fb (in air)        5.69      7.68      6.44      6.64      7.85
全長 (in air)     59.96     57.05     65.23     56.76     61.05
群焦点距離
f1=50.84    f2=-11.43     f3=15.48     f4=27.67
【０１４８】
数値実施例９
単位：ｍｍ
面データ
面番号         r          d         nd        νd
物面          ∞         ∞ 
1            31.634      1.00     1.94595    17.98
2            24.337      3.70     1.81600    46.62
3           169.931      可変
4            71.400      1.00     1.88300    40.76
5             8.713      4.86
6*          -49.021      0.80     1.58313    59.38
7*           13.893      1.48
8            22.967      2.10     2.00069    25.46
9          -221.415      可変
10(絞り)      ∞         0.50
11*          12.253      2.10     1.74320    49.34
12*        -277.973      0.00
13            ∞         0.10
14            8.188      2.34     1.64000    60.08
15           17.842      0.70     1.74000    28.30
16            6.012      2.18
17          -38.264      0.70     1.72825    28.46
18           12.558      2.56     1.58313    59.38
19*         -12.311      可変
20*          11.747      2.67     1.49700    81.54
21           95.158      可変
22            ∞         0.50     1.54771    62.84
23            ∞         0.50
24            ∞         0.50     1.51633    64.14
25            ∞         0.97
像面          ∞
非球面データ
第６面
k-=0.000
A4=1.25719e-05,A6=-1.15184e-06,A8=1.25233e-08,A10=-1.37009e-10
第７面
k=0.000
A4=-1.19585e-04,A6=-1.40665e-06,A8=5.70135e-09,A10=-5.59580e-11
第１１面
k=0.000
A4=5.20165e-06,A6=-4.97308e-07,A8=-2.78846e-09
第１２面
k=0.000
A4=1.03347e-04,A6=-6.49250e-07
第１９面
k=0.000
A4=3.38150e-05,A6=-4.08974e-07,A8=9.72395e-10
第２０面
k=0.000
A4=-2.09352e-05,A6=5.82527e-08
ズームデータ
WE       ST1       TE        ST2       ST3
焦点距離          6.05     12.70     23.47      8.22     18.74
ＦＮＯ．          1.85      2.18      2.56      1.97      2.38
画角２ω         78.42     40.23     21.95     59.92     27.65
D3                0.30      7.24     15.77      2.81     12.60
D9               21.11      5.99      1.08     13.46      2.06
D19               3.36      6.66     12.64      4.37      9.55
D21               4.53      6.06      4.73      5.22      6.06
fb (in air)       6.65      8.19      6.85      7.35      8.18
全長 (in air)    60.21     56.86     65.13     56.77     61.17
群焦点距離
f1=49.61    f2=-11.93     f3=16.15     f4=26.68
【０１４９】
数値実施例１０
単位：ｍｍ
面データ
面番号         r          d         nd        νd
物面          ∞         ∞ 
1            31.866      1.00     1.94595    17.98
2            24.559      3.71     1.81600    46.62
3           174.804      可変
4            60.047      1.00     1.88300    40.76
5             8.506      5.02
6*          -37.235      0.80     1.58313    59.38
7*           14.856      1.33
8            23.081      2.10     2.00069    25.46
9          -193.679      可変
10(絞り)      ∞         0.50
11*          12.728      2.10     1.74320    49.34
12*        -166.062      0.00
13            ∞         0.10
14            8.533      2.26     1.64000    60.08
15           18.398      0.70     1.72825    28.46
16            6.251      2.21
17          -39.806      0.70     1.68893    31.07
18           14.820      2.58     1.49700    81.54
19*         -10.625      可変
20*          11.681      2.50     1.49700    81.61
21           65.043      可変
22            ∞         0.50     1.54771    62.84
23            ∞         0.50
24            ∞         0.50     1.51633    64.14
25            ∞         1.01
像面          ∞
非球面データ
第６面
k=0.000
A4=1.39775e-05,A6=-5.89083e-07,A8=-3.00001e-09,A10=-4.86913e-11
第７面
k=0.000
A4=-9.60358e-05,A6=-8.97426e-07,A8=-1.12664e-08,A10=9.31137e-11
第１１面
k=0.000
A4=5.78306e-07,A6=-2.26619e-07,A8=-3.05673e-09
第１２面
k=0.000
A4=1.03740e-04,A6=-2.68617e-07
第１９面
k=0.000
A4=1.30548e-05,A6=-2.48736e-08,A8=-5.88997e-08
第２０面
k=0.000
A4=-3.17374e-05,A6=-8.92951e-08
ズームデータ
WE       ST1       TE        ST2       ST3
焦点距離           6.07     12.74     23.52      8.23     18.77
ＦＮＯ．           1.85      2.18      2.53      1.98      2.37
画角２ω          77.93     39.75     21.81     59.39     27.33
D3                 0.30      7.65     15.93      3.02     13.00  
D9                21.11      6.47      1.10     13.93      2.52  
D19                3.12      6.34     11.96      4.32      9.12  
D21                5.19      6.79      6.04      5.78      6.90
fb (in air)        7.34      8.95      8.21      7.94      9.06
全長 (in air)     60.48     58.01     65.81     57.81     62.31
群焦点距離
f1=49.72    f2=-11.70     f3=16.42     f4=28.21   
【０１５０】
数値実施例１１
単位：ｍｍ
面データ
面番号         r          d         nd        νd
物面          ∞         ∞ 
1            32.422      1.00     1.94595    17.98
2            24.982      3.65     1.81600    46.62
3           173.616      可変
4            85.877      1.00     1.88300    40.76
5             8.673      3.97
6*          307.488      0.80     1.58313    59.38
7*           14.178      2.64
8            24.905      1.63     1.92286    20.88
9           243.771      可変
10(絞り)      ∞         0.50
11*          14.962      2.07     1.85135    40.10
12*         -65.687      0.00
13            ∞         0.10
14            6.929      2.69     1.49700    81.54
15           18.683      0.59     1.80518    25.42
16            5.804      1.78
17          -22.605      0.73     1.92286    20.88
18        -1284.735      2.24     1.58313    59.38
19*         -10.215      可変
20*          11.801      2.62     1.49700    81.54
21          107.003      可変
22            ∞         0.50     1.54771    62.84
23            ∞         0.50
24            ∞         0.50     1.51633    64.14
25            ∞         1.01
像面          ∞
非球面データ
第６面番
k=0.000
A4=-1.59918e-04,A6=2.84008e-06,A8=-4.46572e-08,A10=8.52526e-11
第７面
k=0.000
A4=-3.00603e-04,A6=2.98377e-06,A8=-7.14642e-08,A10=3.51419e-10
第１１面
k=0.000
A4=3.05204e-06,A6=-4.79667e-07,A8=-5.23699e-09
第１２面
k=0.000
A4=8.81792e-05,A6=-7.55380e-07
第１９面
k=0.000
A4=6.29657e-05,A6=1.43686e-07,A8=-3.38587e-08
第２０面
k=0.000
A4=-1.25621e-05,A6=3.85445e-07,A8=-5.46258e-09
ズームデータ
WE       ST1       TE        ST2       ST3
焦点距離           6.07     12.73     23.51      8.23     18.78
ＦＮＯ．           1.85      2.16      2.59      1.95      2.40
画角２ω          77.94     39.81     21.79     59.38     27.49
D3                 0.71      7.96     16.17      3.45     12.76  
D9                21.11      6.03      1.20     13.39      1.91  
D19                5.03      7.70     13.98      5.54     10.81  
D21                3.50      5.51      4.26      4.52      5.76
fb (in air)        5.66      7.68      6.42      6.68      7.92
全長 (in air)     60.51     57.37     65.78     57.07     61.41
群焦点距離
f1=50.89    f2=-11.52     f3=15.72     f4=26.44
【０１５１】
以下に各実施例の代表値を示す。
実施例１  実施例２  実施例３  実施例４  実施例５ 実施例６
変倍比                    3.88      3.88      3.88     3.88      3.88      3.88
広角端全長               60.49     59.89     61.42    60.03     60.06     60.37
望遠端全長               65.85     68.50     70.68    68.76     65.90     65.71
広角端 バックフォーカス   7.33      5.41      5.67     5.65      5.81      5.84
望遠端 バックフォーカス   8.27      7.15      7.18     7.20      6.15      6.44
第１レンズ群焦点距離     50.47     49.36     55.03    54.55     50.57     50.70
第２レンズ群焦点距離    -11.67    -10.76    -11.03   -11.10    -11.30    -11.72
第３レンズ群焦点距離     16.15     15.93     15.85    15.67     15.49     15.94
第４レンズ群焦点距離     29.71     24.31     26.32    26.48     27.59     25.70
実施例７  実施例８  実施例９  実施例１０  実施例１１
変倍比                    3.88      3.88      3.88      3.89        3.88
広角端全長               60.45     59.96     60.21     60.48       60.51
望遠端全長               65.64     65.23     65.13     65.81       65.78
広角端 バックフォーカス   6.52      5.69      6.65      7.34        5.66
望遠端 バックフォーカス   7.47      6.44      6.85      8.21        6.42
第１レンズ群焦点距離     50.52     50.84     49.61     49.72       50.89
第２レンズ群焦点距離    -11.66    -11.43    -11.93    -11.70      -11.52
第３レンズ群焦点距離     15.93     15.48     16.15     16.42       15.72
第４レンズ群焦点距離     28.05     27.67     26.68     28.21       26.44
ここで、広角端全長、望遠端全長、広角端バックフォーカス、望遠端バックフォーカスについては、フィルターを空気換算した時の数値である。
【０１５２】
以上の実施例１〜１１の無限遠物点合焦時の収差図をそれぞれ図１２〜図２２に示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、 “ω”は半画角を示す。
【０１５３】
次に、各実施例における条件式（１）〜（２０）の値を掲げる。
条件式(1)  ＳＦ3n
条件式(2)  νｄ3
条件式(3)  Ｄ３／ｆ３
条件式(4)  ＵＹ１Ｇ／ｆｗ
条件式(5)  ＵＹ３Ｇ／ｆ３
条件式(6)  ＵＹ３Ｇ／ｆｗ
条件式(7)  ｆ１／ｆｗ
条件式(8)  ｜ｆ２／ｆｗ｜
条件式(9)  （β２ｔ／β２ｗ）×（β３ｔ／β３ｗ）×（β４ｔ／β４ｗ）
条件式(10)  ｆ３／ｆｗ
条件式(11)  ｆ４／ｆｗ
条件式(12)  Ｌｗ／ｆｗ
条件式(13)  （β２ｔ／β２ｗ）／（β３ｔ／β３ｗ）
条件式(14)  β２ｔ／β２ｗ
条件式(15)  β３ｔ／β３ｗ
条件式(16)  β4ｔ／β4ｗ
条件式(17)  Ｄ２ｗ／ｆｗ
条件式(18)  Δ３Ｇ／ｆｗ
条件式(19)  ＩＨ／ｆｗ
条件式(20)  Ｄ２ｗ／Ｌ11r
実施例１ 実施例２ 実施例３ 実施例４ 実施例５ 実施例６
条件式(1)                 -0.73    -0.75     -0.73     -0.70     -0.65     -0.67
条件式(2)                 61.03    66.21     64.46     62.63    111.79     87.99
条件式(3)                  0.11     0.10      0.12      0.12      0.13      0.11
条件式(4)                  0.27     0.27      0.27      0.27      0.27      0.27
条件式(5)                  0.29     0.29      0.30      0.31      0.31      0.30
条件式(6)                  0.78     0.77      0.80      0.80      0.80      0.78
条件式(7)                  8.33     8.15      9.08      9.00      8.35      8.35
条件式(8)                  1.93     1.78      1.82      1.83      1.87      1.93
条件式(9)                  3.88     3.88      3.88      3.88      3.88      3.88
条件式(10)                 2.67     2.63      2.62      2.59      2.56      2.63
条件式(11)                 4.90     4.01      4.34      4.37      4.56      4.24
条件式(12)                 9.66     9.42      9.77      9.55      9.63      9.60
条件式(13)                 0.80     0.65      0.67      0.66      0.78      0.78
条件式(14)                 1.80     1.68      1.68      1.67      1.75      1.77
条件式(15)                 2.26     2.58      2.51      2.53      2.25      2.27
条件式(16)                 0.95     0.89      0.92      0.92      0.98      0.97
条件式(17)                 3.57     3.30      3.43      3.41      3.57      3.56
条件式(18)                 1.59     2.08      1.95      1.93      1.62      1.62
条件式(19)                 0.76     0.76      0.76      0.76      0.76      0.76
条件式(20)                 0.67     0.58      0.55      0.55      0.67      0.67
実施例７ 実施例８ 実施例９ 実施例１０ 実施例１１
条件式(1)                 -0.73    -0.56     -0.73     -0.73     -0.59
条件式(2)                 72.78    92.53     62.70     82.09     94.62
条件式(3)                  0.12     0.13      0.13      0.13      0.11
条件式(4)                  0.27     0.27      0.27      0.27      0.27
条件式(5)                  0.30     0.31      0.29      0.29      0.30
条件式(6)                  0.78     0.79      0.77      0.77      0.79
条件式(7)                  8.33     8.38      8.20      8.19      8.39
条件式(8)                  1.92     1.88      1.97      1.93      1.90
条件式(9)                  3.88     3.88      3.88      3.88      3.88
条件式(10)                 2.63     2.55      2.67      2.71      2.59
条件式(11)                 4.62     4.56      4.41      4.65      4.36
条件式(12)                 9.63     9.57      9.60      9.64      9.64
条件式(13)                 0.79     0.76      0.84      0.82      0.77
条件式(14)                 1.80     1.75      1.82      1.82      1.76
条件式(15)                 2.27     2.31      2.16      2.23      2.29
条件式(16)                 0.95     0.96      0.99      0.95      0.96
条件式(17)                 3.56     3.56      3.57      3.56      3.56
条件式(18)                 1.56     1.60      1.57      1.60      1.60
条件式(19)                 0.76     0.76      0.76      0.76      0.76
条件式(20)                 0.67     0.66      0.68      0.68      0.67
【０１５４】
（歪曲収差の補正）
ところで、本発明のズームレンズを用いたときに、像の歪曲は電気的にデジタル補正してもよい。以下に、像の歪曲をデジタル補正するための基本的概念について説明する。
【０１５５】
例えば、図２３に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１５６】
例えば、図２３において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１５７】
ここで、ｒ'（ω）は次のように表すことができる。
ｒ'（ω）＝α・ｆ・ｔａｎω    （０≦α≦１）
ただし、
ωは被写体半画角、ｆは結像光学系（本発明では、ズームレンズ）の焦点距離、
αは０以上１以下である。
【０１５８】
ここで、前記半径Ｒの円上（像高）に対応する理想像高をＹとすると、
α＝Ｒ／Ｙ＝Ｒ／（ｆ・ｔａｎω）
となる。
【０１５９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１６０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１６１】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１６２】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１６３】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１６４】
なお、歪曲補正後の画像が短辺方向の両端において光量が極端に不足することのないようにするには、前記半径Ｒが、次の条件式を満足するのがよい。
【０１６５】
０≦Ｒ≦０．６Ｌs 
ただし、Ｌsは有効撮像面の短辺の長さである。
【０１６６】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１６７】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１６８】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１６９】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１７０】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１７１】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１７２】
（デジタルカメラ）
図２４〜図２６は、以上のようなズームレンズを撮影光学系１４１に組み込んだ本発明によるデジタルカメラの構成の概念図を示す。図２４はデジタルカメラ１４０の外観を示す前方斜視図、図２５は同後方正面図、図２６はデジタルカメラ１４０の構成を示す模式的な断面図である。ただし、図２４と図２６においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２６の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１７３】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１７４】
このように構成されたデジタルカメラ１４０は、撮影光学系１４１が本発明により、沈胴時に厚みを極めて薄く、高変倍で全変倍域で結像性能が極めて安定的であるので、高性能・小型化・広画角化が実現できる。
【０１７５】
（内部回路構成）
図２７は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１７６】
図２７に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１７７】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１７８】
操作部１１２は各種の入力ボタンやスイッチを備え、これらの入力ボタンやスイッチを介して外部（カメラ使用者）から入力されるイベント情報を制御部に通知する回路である。
【０１７９】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１８０】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１８１】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１８２】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１８３】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１８４】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１８５】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１８６】
以上のように、本発明は、画角、変倍比、Ｆ値を確保しながらも、結像性能を良好としやすいズームレンズに有用である。
【符号の説明】
【０１８７】
Ｇ１…第１レンズ群
Ｇ２…第２レンズ群
Ｇ３…第３レンズ群
Ｇ４…第４レンズ群
Ｓ…明るさ絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2010217478.tif 000003
【図２】
2010217478.tif 000004
【図３】
2010217478.tif 000005
【図４】
2010217478.tif 000006
【図５】
2010217478.tif 000007
【図６】
2010217478.tif 000008
【図７】
2010217478.tif 000009
【図８】
2010217478.tif 000010
【図９】
2010217478.tif 000011
【図１０】
2010217478.tif 000012
【図１１】
2010217478.tif 000013
【図１２】
2010217478.tif 000014
【図１３】
2010217478.tif 000015
【図１４】
2010217478.tif 000016
【図１５】
2010217478.tif 000017
【図１６】
2010217478.tif 000018
【図１７】
2010217478.tif 000019
【図１８】
2010217478.tif 000020
【図１９】
2010217478.tif 000021
【図２０】
2010217478.tif 000022
【図２１】
2010217478.tif 000023
【図２２】
2010217478.tif 000024
【図２３】
2010217478.tif 000025
【図２４】
2010217478.tif 000026
【図２５】
2010217478.tif 000027
【図２６】
2010217478.tif 000028
【図２７】
2010217478.tif 000029